【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
テンプレートへのレイアウト対象の候補である複数の画像に対応する時間情報に応じて、前記複数の画像を複数の画像群に分割する分割工程と、
前記分割工程において分割された前記複数の画像群のそれぞれに含まれている少なくとも１つの画像を、前記複数の画像群のそれぞれに対応するテンプレートにレイアウトするレイアウト工程と、
をコンピュータに実行させ、
前記分割工程では、
前記複数の画像の前記複数の画像群への分割の方法として、前記時間情報に加えて前記複数の画像に含まれる画像の所定の特徴に基づいて前記分割を行う所定の第１の方法、または、前記分割における前記所定の特徴の重みが前記所定の第１の方法よりも低い所定の第２の方法が、所定の条件に基づいて選択され、
前記選択された分割の方法により、前記分割が行われることを特徴とするプログラム。
【請求項２】
前記所定の条件は、前記複数の画像の数に関する条件であり、
前記複数の画像の数が所定数より多い場合、前記第１の方法が選択され、前記複数の画像の数が前記所定数以下の場合、前記第２の方法が選択されることを特徴とする請求項１に記載のプログラム。
【請求項３】
前記分割工程では、
前記複数の画像に対応する時間情報に応じて、前記複数の画像を複数の第１の画像群に仮分割する仮分割工程と、
前記仮分割工程において仮分割された前記複数の第１の画像群のそれぞれの重要度を判定する判定工程と、
前記判定工程により判定された重要度が低い第１の画像群が優先して統合対象となるように、前記複数の第１の画像群に含まれる少なくとも２つの画像群が統合された複数の第２の画像群を前記分割工程で分割された前記複数の画像群として決定する決定工程と、
をコンピュータにさらに実行させ、
前記判定工程では、前記複数の画像の数が所定数より多いか否かに応じて異なる方法により、前記重要度を判定することを特徴とする請求項１または２に記載のプログラム。
【請求項４】
前記第２の方法では、前記所定の特徴は用いられないことを特徴とする請求項１乃至３のいずれか１項に記載のプログラム。
【請求項５】
前記所定の特徴は、画像に含まれるオブジェクトに関する特徴であることを特徴とする請求項１乃至４のいずれか１項に記載のプログラム。
【請求項６】
前記所定の特徴は、画像に所定のオブジェクトが含まれることを含むことを特徴とする請求項５に記載のプログラム。
【請求項７】
前記レイアウト工程では、
前記複数の画像群が所定の基準を満たす場合に、前記複数の画像群のそれぞれに含まれている少なくとも１つの画像を前記テンプレートにレイアウトするレイアウト処理が実行され、前記複数の画像群が前記所定の基準を満たさない場合に、前記レイアウト処理は実行されず、
前記所定の基準は、前記所定の条件が満たされるか否かに応じて異なることを特徴とする請求項１乃至６のいずれか１項に記載のプログラム。
【請求項８】
前記所定の基準は、前記複数の画像群のそれぞれに含まれる画像枚数と、前記複数の画像群のそれぞれに含まれるオブジェクト数と、前記複数の画像群のそれぞれにおける撮影期間と、前記複数の画像群の間における撮影日時の時間差との少なくとも１つに関する基準であることを特徴とする請求項７に記載のプログラム。
【請求項９】
前記所定の条件が満たされる場合、前記所定の基準に前記所定の特徴に関する基準が含まれ、前記所定の条件が満たされない場合、前記所定の基準に前記所定の特徴に関する基準は含まれないことを特徴とする請求項８に記載のプログラム。
【請求項１０】
前記所定の条件が満たされない場合、前記所定の基準に前記時間差に関する条件が含まれることを特徴とする請求項８または９に記載のプログラム。
【請求項１１】
前記レイアウト工程において前記複数の画像群のそれぞれに含まれている少なくとも１つの画像が前記テンプレートにレイアウトされた画像を、ディスプレイに表示させる表示工程をさらにコンピュータに実行させることを特徴とする請求項１乃至１０のいずれか１項に記載のプログラム。
【請求項１２】
テンプレートへのレイアウト対象の候補である複数の画像に対応する時間情報に応じて、前記複数の画像を複数の画像群に分割する分割工程と、
前記分割工程において分割された前記複数の画像群のそれぞれに含まれている少なくとも１つの画像を、前記複数の画像群のそれぞれに対応するテンプレートにレイアウトするレイアウト工程と、
を備え、
前記分割工程では、
前記複数の画像の前記複数の画像群への分割の方法として、前記時間情報に加えて前記複数の画像に含まれる画像の所定の特徴に基づいて前記分割を行う所定の第１の方法、または、前記分割における前記所定の特徴の重みが前記所定の第１の方法よりも低い所定の第２の方法が、所定の条件に基づいて選択され、
前記選択された分割の方法により、前記分割が行われることを特徴とする画像処理方法。
【請求項１３】
テンプレートへのレイアウト対象の候補である複数の画像に対応する時間情報に応じて、前記複数の画像を複数の画像群に分割する分割手段と、
前記分割手段により分割された前記複数の画像群のそれぞれに含まれている少なくとも１つの画像を、前記複数の画像群のそれぞれに対応するテンプレートにレイアウトするレイアウト手段と、
を有し、
前記分割手段は、
前記複数の画像の前記複数の画像群への分割の方法として、前記時間情報に加えて前記複数の画像に含まれる画像の所定の特徴に基づいて前記分割を行う所定の第１の方法、または、前記分割における前記所定の特徴の重みが前記所定の第１の方法よりも低い所定の第２の方法を、所定の条件に基づいて選択し、前記選択された分割の方法により、前記分割を行うことを特徴とする画像処理装置。
【手続補正２】
【補正対象書類名】明細書
【補正対象項目名】０００６
【補正方法】変更
【補正の内容】
【０００６】
そこで本発明は、所定の条件に応じた異なる処理を用いて複数の画像群を決定するプログラム、画像処理装置、および画像処理方法を提供することを目的する。
【手続補正３】
【補正対象書類名】明細書
【補正対象項目名】０００７
【補正方法】変更
【補正の内容】
【０００７】
上記課題を解決するため、本発明に係るプログラムは、テンプレートへのレイアウト対象の候補である複数の画像に対応する時間情報に応じて、前記複数の画像を複数の画像群に分割する分割工程と、前記分割工程において分割された前記複数の画像群のそれぞれに含まれている少なくとも１つの画像を、前記複数の画像群のそれぞれに対応するテンプレートにレイアウトするレイアウト工程と、をコンピュータに実行させ、前記分割工程では、前記複数の画像の前記複数の画像群への分割の方法として、前記時間情報に加えて前記複数の画像に含まれる画像の所定の特徴に基づいて前記分割を行う所定の第１の方法、または、前記分割における前記所定の特徴の重みが前記所定の第１の方法よりも低い所定の第２の方法が、所定の条件に基づいて選択され、前記選択された分割の方法により、前記分割が行われることを特徴とする。
【手続補正４】
【補正対象書類名】明細書
【補正対象項目名】０００８
【補正方法】変更
【補正の内容】
【０００８】
本発明によれば、所定の条件に応じた異なる処理を用いて複数の画像群を決定することができる。